(57)【要約】【課題】棒金の落下強度を高めつつ、棒金の解体容易性を確保すること。【解決手段】重積方向割れ強度が巻回方向割れ強度よりも相対的に大きくなるように、巻回方向と平行な補強部または脆弱部を重積方向について所定間隔で有する包装紙を構成する。また、補強部または脆弱部とともに、棒金の重積方向における略中央位置に内部の視認が可能な孔を所定のピッチで設けた包装紙を構成する。さらに、補強部を設ける場合には、補強部を包装紙の巻き代以外の部分にのみ設けることとする。【選択図】  図１
2011037480.tif 000002
【特許請求の範囲】
【請求項１】
重積硬貨の周面に巻回されたうえで前記重積硬貨の重積方向に突出した部分である巻き代がそれぞれかしめられることで前記重積硬貨を包装する硬貨包装紙であって、
前記重積方向の割れに対する強度が巻回方向の割れに対する強度よりも大きいことを特徴とする硬貨包装紙。
【請求項２】
前記巻回方向に延伸する補強部が設けられたことを特徴とする請求項１に記載の硬貨包装紙。
【請求項３】
前記補強部は、
前記巻き代以外の部分にのみ設けられたことを特徴とする請求項２に記載の硬貨包装紙。
【請求項４】
前記補強部は、
前記巻き代から所定距離以内にのみ設けられたことを特徴とする請求項３に記載の硬貨包装紙。
【請求項５】
前記巻回方向に延伸する脆弱部が設けられたことを特徴とする請求項１〜４のいずれか一つに記載の硬貨包装紙。
【請求項６】
前記脆弱部は、
前記巻回方向について所定間隔ごとに設けられた孔の集合であることを特徴とする請求項５に記載の硬貨包装紙。
【請求項７】
前記脆弱部は、
前記重積方向における略中央に設けられていることを特徴とする請求項５または６に記載の硬貨包装紙。
【発明の詳細な説明】
【技術分野】
【０００１】
本発明は、重積硬貨の周面に巻回されたうえで重積硬貨の重積方向に突出した部分である巻き代がそれぞれかしめられることで重積硬貨を包装する硬貨包装紙および硬貨包装装置に関する。
【背景技術】
【０００２】
従来、金融機関などにおいては、硬貨を所定枚数（たとえば、５０枚）単位で積層した重積硬貨を紙、ポリエチレンあるいはセロハンで巻き付けて棒状にする硬貨包装装置が用いられている。この硬貨包装装置を用いることで、棒状に包装した硬貨（棒金）を短時間で生成することができる。
【０００３】
かかる棒金は、たとえば、重積硬貨の円周まわりに重積硬貨の高さよりも幅が広い硬貨包装紙を巻き付け、重積硬貨の重積方向からはみ出した硬貨包装紙部分（巻き代）を、上下の硬貨面に対してそれぞれ「かしめる」ことで生成される（たとえば、特許文献１参照）。なお、硬貨包装紙は、ロール紙として硬貨包装装置に対して提供されることが一般的である。
【０００４】
ここで、ポリエチレンを材料とする硬貨包装紙は、燃やすと有害物質が発生してしまうので環境保護の観点からは好ましくない。このため、環境にやさしい材料であり、かつ、再生利用が可能な普通紙を材料とする硬貨包装紙を使用することが望ましい。なお、普通紙とは、表面に特殊な加工が施されていない非透明な紙のことを指す。
【先行技術文献】
【特許文献】
【０００５】
【特許文献１】特開昭５８−８２８２６号公報
【発明の概要】
【発明が解決しようとする課題】
【０００６】
しかしながら、硬貨包装紙として普通紙を用いた場合には、棒金を落下させた場合に硬貨包装紙が破損して包装硬貨が飛散してしまうという問題があった。これは、普通紙の強度が十分とはいえないため、普通紙で包装された棒金が落下すると、落下時の衝撃による包装硬貨の位置ずれによって硬貨包装紙が割れてしまうためである。
【０００７】
このため、普通紙の坪量（単位面積あたりの質量）を上げる、すなわち、厚みを増すことで上記した割れを防止することも考えられるが、ロール１巻あたりの収容長が短くなるため好ましくない。また、厚みを増した普通紙を用いると、棒金を手で割りにくくなるため使い勝手が低下してしまう。
【０００８】
なお、普通紙の厚みを増す代わりに、重積硬貨に対する巻回回数を増やす手法を用いた場合にも、同様に、落下時の割れに対する強度を向上させることができるものの、棒金の解体を行いにくいという問題が発生してしまう。
【０００９】
これらのことから、棒金の落下強度を高めつつ、棒金の解体容易性を確保することができる硬貨包装紙をいかにして実現するかが大きな課題となっている。なお、かかる課題は、硬貨包装紙による硬貨包装を行う際に、硬貨包装紙に対して所定の加工を行う硬貨包装装置についても同様に発生する課題である。
【００１０】
本発明は、上述した従来技術の課題を解決するためになされたものであり、棒金の落下強度を高めつつ、棒金の解体容易性を確保することができる硬貨包装紙および硬貨包装装置を提供することを目的とする。
【課題を解決するための手段】
【００１１】
上述した課題を解決し、目的を達成するために、本発明は、重積硬貨の周面に巻回されたうえで前記重積硬貨の重積方向に突出した部分である巻き代がそれぞれかしめられることで前記重積硬貨を包装する硬貨包装紙であって、前記重積方向の割れに対する強度が巻回方向の割れに対する強度よりも大きいことを特徴とする。
【００１２】
また、本発明は、上記の発明において、前記巻回方向に延伸する補強部が設けられたことを特徴とする。
【００１３】
また、本発明は、上記の発明において、前記補強部は、前記巻き代以外の部分にのみ設けられたことを特徴とする。
【００１４】
また、本発明は、上記の発明において、前記補強部は、前記巻き代から所定距離以内にのみ設けられたことを特徴とする。
【００１５】
また、本発明は、上記の発明において、前記巻回方向に延伸する脆弱部が設けられたことを特徴とする。
【００１６】
また、本発明は、上記の発明において、前記脆弱部は、前記巻回方向について所定間隔ごとに設けられた孔の集合であることを特徴とする。
【００１７】
また、本発明は、上記の発明において、前記脆弱部は、前記重積方向における略中央に設けられていることを特徴とする。
【発明の効果】
【００１８】
本発明によれば、重積方向の割れに対する強度が巻回方向の割れに対する強度よりも大きいこととしたので、重積方向割れ強度が巻回方向割れ強度よりも相対的に大きいことによって、棒金の落下強度を高めつつ、棒金の解体容易性を確保することができるという効果を奏する。
【００１９】
また、本発明によれば、巻回方向に延伸する補強部が設けられることとしたので、補強部が、棒金の落下時に発生する縦割れをせき止めることによって棒金の落下強度を高めることができるという効果を奏する。
【００２０】
また、本発明によれば、補強部は、巻き代以外の部分にのみ設けられることとしたので、補強部が巻き代に存在すると発生しやすい巻き代の巻き込み不良を防止することができるという効果を奏する。
【００２１】
また、本発明によれば、補強部は、巻き代から所定距離以内にのみ設けられることとしたので、棒金の落下時に応力が集中して最初の縦割れが発生しやすい部位にのみ補強部を設けることで包装紙のコストを下げることができるという効果を奏する。
【００２２】
また、本発明によれば、巻回方向に延伸する脆弱部が設けられることとしたので、脆弱部が、棒金の落下時に発生する縦割れをせき止めることによって棒金の落下強度を高めることができるという効果を奏する。
【００２３】
また、本発明によれば、脆弱部は、巻回方向について所定間隔ごとに設けられた孔の集合であることとしたので、包装紙の製造段階以降の任意の段階で、脆弱部を設ける加工を容易に行うことができるという効果を奏する。
【００２４】
また、本発明によれば、脆弱部は、重積方向における略中央に設けられることとしたので、棒金の解体時に応力が集中しやすい略中央位置を脆弱化することで、棒金の解体を容易に行うことができるという効果を奏する。
【図面の簡単な説明】
【００２５】
【図１】図１は、本発明に係る硬貨包装紙の概要を示す図である。
【図２】図２は、補強部を設けた包装紙のバリエーションを示す図である。
【図３】図３は、包装紙の変形例を示す図である。
【図４】図４は、穿孔形状の変形例を示す図である。
【図５】図５は、脆弱部を設けた包装紙を示す図である。
【図６】図６は、硬貨包装装置の構成を示すブロック図である。
【図７】図７は、硬貨集積部、包装紙供給部および硬貨包装部の構成例を示す図である。
【図８】図８は、穿孔位置の調整例を示す図である。
【発明を実施するための形態】
【００２６】
以下に、添付図面を参照して、本発明に係る硬貨包装紙および硬貨包装装置の好適な実施例を詳細に説明する。なお、以下では、本発明に係る硬貨包装紙についての実施例を実施例１として、本発明に係る硬貨包装装置についての実施例を実施例２として、それぞれ説明することとする。
【実施例１】
【００２７】
本実施例１では、本発明に係る硬貨包装紙について説明する。まず、本発明に係る硬貨包装紙の概要について説明する。図１は、本発明に係る硬貨包装紙の概要を示す図である。なお、同図の（Ａ）には、硬貨包装紙を用いた棒金の生成手順の概要を、同図の（Ｂ）には、棒金落下時の割れが伝搬する様子を、同図の（Ｃ）には、本発明に係る硬貨包装紙（以下、包装紙１と記載する）の特徴を、それぞれ示している。
【００２８】
図１の（Ａ）に示したように、棒金３を生成する場合には、一般的に、重積硬貨２の高さよりも幅が広い包装紙１を、重積硬貨２の円周方向に巻き付ける（巻回する）。そして、重積硬貨２の重積方向にはみ出した包装紙１の両部分（巻き代）を「かしめる」ことで、棒金３を生成する。
【００２９】
ここで、包装紙１として普通紙を用いた場合には、ポリエチレンフィルムを用いた場合に比べて落下時の衝撃に対する強度が不足する傾向にある。具体的には、図１の（Ｂ）に示したように、普通紙を材料とする包装紙１で巻回した棒金３を落下させた場合、落下時の衝撃によって、着地部分の対向側に最初の縦割れ３ａが発生する。これは、落下時の衝撃で硬貨の移動やずれが起こるためであると考えられる。
【００３０】
そして、いったん最初の縦割れ３ａが発生すると、発生した縦割れ３ａが同図に示す方向３ｂへ一気に伝搬し、ジッパーをあけるように棒金３全体が破損して包装された硬貨が飛散することになる。
【００３１】
このように、包装紙１の材料として普通紙を用いた場合には、落下時に棒金３全体の破損が発生しやすい。このため、普通紙の坪量を上げて強度を確保したり、棒金３を生成する際の巻回回数を増やして強度を確保したりといった方策をとることが考えられる。
【００３２】
しかし、このようにして棒金３全体としての強度を確保すると、今度は、棒金３を解体しにくいというデメリットが発生する。すなわち、棒金３内の硬貨を使用する際には、棒金３を重積方向に二つ折りにするなどして棒金３を「横割れ」させる必要があるが、棒金３全体が頑丈すぎると「横割れ」しづらいため解体が困難となってしまう。
【００３３】
そこで、本発明に係る包装紙１では、図１の（Ｃ）に示したように、重積方向の割れに耐える強度（以下、「重積方向割れ強度」と記載する）が、巻回方向の割れに耐える強度（以下、「巻回方向割れ強度」と記載する）よりも相対的に大きくなるように調整することとした。
【００３４】
すなわち、本発明に係る包装紙１は、重積方向割れ強度が巻回方向割れ強度よりも相対的に大きいので、重積方向よりも巻回方向に割れやすい。ここで、重積方向割れ強度を巻回方向割れ強度よりも相対的に大きくするためには、重積方向割れ強度を高めるか、あるいは、巻回方向割れ強度を低めるか、いずれかの加工を行うこととすればよい。
【００３５】
以下では、重積方向割れ強度を相対的に高める場合について図２〜図４を用いて、巻回方向割れ強度を相対的に低くする場合について図５を用いて、それぞれ説明することとする。
【００３６】
まず、重積方向割れ強度を相対的に高めることによって、重積方向割れ強度が巻回方向割れ強度よりも大きくなるように調整された包装紙１について説明する。図２は、補強部を設けた包装紙１のバリエーションを示す図である。
【００３７】
図２の（Ａ）に示したのは、糸などの破断しにくい材料を、強度向上が必要な部位に貼り付けることで重積方向割れ強度を高めた包装紙１である。ここで、貼り付けられた糸などの素材が各補強部１０１に対応している。また、同図のａ１とａ２とを結んだ位置における断面図１ａに示したように、補強材１０１ａは、包装紙１の表面に貼り付けられている。
【００３８】
なお、図２の（Ａ）には、補強材１０１ａが、包装紙１の表面に貼り付けられた場合について示したが、補強材１０１ａが内部に埋め込まれた包装紙１を用いることとしてもよい。また、補強材１０１ａを包装紙１の表面に貼り付けつつ、プレス加工を施すなどして包装紙１表面を平面加工することとしてもよい。
【００３９】
ところで、図２の（Ａ）に示したように、各補強材１０１ａは、重積方向について所定の間隔で貼り付けられている。このように、所定の間隔ごとに補強材１０１ａを貼り付けることで、図１に示した最初の縦割れ３ａが発生した場合に、この縦割れ３ａを特定の区間（補強材１０１ａと補強材１０１ａとで挟まれた区間）にとどめることができる。
【００４０】
すなわち、補強材１０１ａの間隔を超えて縦割れ３ａが伝搬することを防止することができる。一方、巻回方向と平行に設けられた補強材１０１ａは、横割れを阻止することはないので、棒金３の解体に伴う横割れを伝搬させる。したがって、棒金３の解体を容易に行わせることができる。
【００４１】
また、図２の（Ａ）に示したように、各補強材１０１ａは、巻き代以外の領域にのみ設けられている。このように、巻き代に補強材１０１ａを設けないことで、図１に示したかしめ部の生成不良を防止することができる。
【００４２】
なお、図２の（Ａ）では、糸などの補強材１０１ａを巻回方向と平行に貼り付ける場合について説明したが、縦割れ３ａの伝搬を防止するという観点から、同図の（Ｂ）〜（Ｄ）に示した加工を包装紙１に対して行うこととしてもよい。
【００４３】
なお、かかる加工のタイミングについては、製紙段階で行っても良いし、製紙段階以降の所定のタイミング、たとえば、硬貨包装装置で棒金３を生成する直前のタイミングなど、で行ってもよい。
【００４４】
図２の（Ｂ）に示したのは、糸を貼り付ける代わりに、包装紙１に対してしわ１０１ｂを設ける加工を行った場合である。このように、所定間隔でしわ１０１ｂを設けることで、重積方向の割れ（縦割れ３ａ）の伝搬が、しわ１０１ｂでせき止められる効果を得ることができる。また、棒金３を解体する場合の巻回方向のわれ（横割れ）を、しわ１０１ｂに沿って伝搬させやすいという効果も得ることができる。
【００４５】
図２の（Ｃ）に示したのは、糸を貼り付ける代わりに、包装紙１に対してこぶ１０１ｃを設ける加工を行った場合である。このように、所定間隔でこぶ１０１ｃを設ける場合にも、図２の（Ａ）や（Ｂ）の場合と同様の効果を得ることができる。
【００４６】
図２の（Ｄ）に示したのは、糸を貼り付ける代わりに、包装紙１に対して縞状のフィルム材１０１ｄを印刷した場合である。なお、フィルム材１０１ｄは、棒金３に対して所定のロゴや金融機関名を印刷する際に、無色透明なコーティングとして併せて印刷することとすればよい。このように、所定間隔でフィルム材１０１ｄを印刷する場合にも、図２の（Ａ）〜（Ｃ）に示した場合と同様の効果を得ることができる。
【００４７】
なお、図２では、補強部１０１を重積方向について所定間隔で設ける旨を説明したが、かかる補強部１０１の間隔は、等間隔とすることとしてもよいし、巻き代に近い部分の間隔を狭めることとしてもよい。このように、巻き代に近い部分に補強部１０１を密に設けることで、棒金３の両端部分における耐落下強度をさらに高めることができる。
【００４８】
ところで、図２では、包装紙１の巻回方向と平行な補強部１０１を、包装紙１の重積方向について所定間隔ごとに設けた場合について説明したが、包装紙１に対して補強部１０１以外の加工を施したり、補強部１０１を設けるエリアを限定したりすることもできる。そこで、以下では、包装紙１の変形例について図３を用いて説明することとする。
【００４９】
図３は、包装紙１の変形例を示す図である。なお、同図の（Ａ）には、包装紙１に対して穿孔加工をさらに施す場合について、同図の（Ｂ）には、補強部１０１を設けるエリアを限定する場合について、それぞれ示している。
【００５０】
図３の（Ａ）に示したように、図２に示した補強部１０１が設けられた包装紙１に対し、重積方向について略中央部分、すなわち、生成される棒金３の高さの１／２に相当する位置に、円形の孔１１１をあけることとしてもよい。
【００５１】
ここで、孔のピッチ（孔１１１と孔１１１との間隔Ｐ３）は、包装対象となる硬貨の直径をＤとした場合に、πＤとなるようにする。このようにすることで、生成された棒金３では、孔１１１がちょうど重なって内部の硬貨を視認することができる。なお、孔１１１の間隔Ｐ３は、包装対象となる硬貨ごとに変更することとすればよい。
【００５２】
そして、このような孔１１１を重積方向について略中央部分に設けることで、棒金３を解体する際の横割れが、略中央部分で特に発生しやすくなるという効果を得ることができる。したがって、棒金３の落下に伴う縦割れを補強部１０１で防止しつつ、棒金３の解体に伴う横割れを孔１１１で助長することができる。
【００５３】
なお、図３の（Ａ）では、円形の孔１１１を設ける場合について示したが、孔の形状については、真円に限らず、楕円とすることとしてもよい。この場合、楕円の長軸を巻回方向と平行にすることが好ましい。これは、棒金３を解体する際の横割れを発生しやすくするためである。
【００５４】
ところで、図２では、補強部１０１を巻き代以外の全面に設けた包装紙１を示したが、かかる補強部１０１を巻き代以外の所定部分に限定して設けることとしてもよい。すなわち、図３の（Ｂ）に示したように、補強部１０１を、巻き代からの距離がＷ３以下となる部分（同図の斜線部分参照）にのみ設けることができる。
【００５５】
これは、図１の（Ｂ）に示したように、棒金３が落下する場合には、棒金３の両端部分が地面に接する場合が多いため、特に、最初の縦割れ３ａは、両端部分に発生しやすいからである。したがって、かかる最初の縦割れ３ａの伝搬を両端部分でせき止めることができれば、棒金３全体が破損することを防止することができる。
【００５６】
このように、包装紙１の巻き代近辺の部位のみに補強部１０１を設けることとすれば、補強部１０１の数を少なくすることができるので、棒金３の縦割れを効果的に防止しつつ、包装紙１のコストを下げることが可能となる。
【００５７】
ところで、図３の（Ａ）では、包装紙１に対して円形の孔１１１を設ける場合について示したが、包装紙１に対して穿孔する孔の形状は、円形や楕円形には限られない。そこで、以下では、穿孔形状の変形例について図４を用いて説明することとする。
【００５８】
図４は、穿孔形状の変形例を示す図である。図４の（Ａ）に示すように、図２に示した補強部１０１が設けられた包装紙１に対し、重積方向について略中央部分、すなわち、生成される棒金３の高さの１／２に相当する位置に、三角形の孔１１２をあけることとしてもよい。
【００５９】
ここで、孔のピッチ（孔１１２と孔１１２との間隔Ｐ４）は、図３の（Ａ）に示した場合と同様に、πＤ（Ｄは硬貨の直径）となるようにする。このようにすることで、生成された棒金３では、孔１１２がちょうど重なって内部の硬貨を視認することができる。
【００６０】
また、穿孔される三角形は、図４の（Ａ）に示したように、包装紙１の先端側とは逆側（同図の左側）向きとなるようにする。このように、孔１１２を左向きの三角形とすることで、包装紙１の先端と、孔１１２とが重なってしまった場合であっても、包装紙１の先端部分に鋭角な部位が発生しにくい（図４の（Ｂ）参照）。したがって、かかる先端部分が、外側に巻かれた包装紙１の孔１１２と重なっても、先端部分が逆むけしにくい。
【００６１】
これに対し、図４の（Ｃ）に示したように、孔１１３を右向きの三角形とすると、包装紙１の先端と、孔１１２が重なってしまった場合に、包装紙１の先端部分に鋭角な部位が発生しやすい。このため、鋭角な部位をもつ先端部分が、外側に巻かれた包装紙１の孔１１２と重なると、鋭角な部位が逆むけしやすい。
【００６２】
ところで、これまでは、重積方向割れ強度を高める補強部１０１を設けることで、重積方向割れ強度が巻回方向割れ強度よりも相対的に大きくなるように調整した包装紙１について説明してきた。
【００６３】
しかしながら、巻回方向割れ強度を低めることで、重積方向割れ強度が巻回方向割れ強度よりも相対的に大きくなるようにしてもよい。そこで、以下では、巻回方向割れ強度を低める加工を施した包装紙１について図５を用いて説明することとする。
【００６４】
図５は、脆弱部２０１を設けた包装紙１を示す図である。図５の（Ａ）に示したのは、孔１１５の群からなる脆弱部２０１を、重積方向について所定間隔で設けた包装紙１である。ここで、１つの群に属する孔１１５の間隔Ｐ５は、脆弱部２０１の間隔Ｗ５よりも小さいように調整されている。
【００６５】
これは、棒金３の解体時に発生する横割れを、１つの脆弱部２０１内で伝搬しやすくするためであり、また、図１の（Ｂ）に示したように、棒金３を落下させた場合に発生する最初の縦割れ３ａを、縦割れ３ａに隣接する脆弱部２０１の孔１１５でせき止めるためである。
【００６６】
すなわち、図５の（Ａ）に示した包装紙１は、縦割れについては、間隔Ｗ５ごとに設けられた脆弱部２０１でせき止める。一方、横割れについては、間隔Ｗ５よりも小さい間隔Ｐ５ごとに設けられた孔１１５で伝搬させる。
【００６７】
なお、図５の（Ｂ）に示したように、脆弱部２０１を設けた包装紙１に対し、図３の（Ａ）と同様に、重積方向について略中央部分、すなわち、生成される棒金３の高さの１／２に相当する位置に、円形の孔１１１をあけることとしてもよい。
【００６８】
なお、孔１１１の間隔Ｐ３については、図３の（Ａ）と同様であるので、ここでの説明を省略する。また、孔１１１の形状を楕円や三角形とすることができる点についても、補強部１０１を設けた包装紙１と同様であるので、ここでの説明を省略する。
【００６９】
上述してきたように、本実施例１では、重積方向割れ強度が巻回方向割れ強度よりも相対的に大きくなるように、巻回方向と平行な補強部または脆弱部を重積方向について所定間隔で有する包装紙を構成した。したがって、棒金の落下強度を高めつつ、棒金の解体容易性を確保することができる。
【００７０】
ところで、上述した実施例１では、製紙段階あるいは製紙段階以降の所定の段階で加工が施された包装紙について説明した。しかし、加工前の包装紙を硬貨包装装置へ提供し、硬貨包装装置が包装紙に対する加工をおこなったうえで硬貨を包装することとしてもよい。そこで、以下に示す実施例２では、包装紙の加工機能を有する硬貨包装装置について説明することとする。
【実施例２】
【００７１】
図６は、本実施例２に係る硬貨包装装置１０の構成を示すブロック図である。なお、同図では、硬貨包装装置１０の特徴を説明するために必要な構成要素のみを示しており、包装対象となる硬貨の投入機構や搬送機構といった一般的な構成要素については記載を省略している。また、硬貨包装装置１０は、実施例１で説明した包装紙１全般、特に、穿孔されていない包装紙１全般をロール紙として受け付けるものとする。
【００７２】
同図に示すように、硬貨包装装置１０は、硬貨集積部１１と、包装紙供給部１２と、硬貨包装部１３と、入力部１４と、制御部１５と、記憶部１６とを備えている。また、制御部１５は、金種決定部１５ａと、穿孔調整部１５ｂとをさらに備えており、記憶部１６は、包装情報１６ａを記憶する。
【００７３】
硬貨集積部１１は、同一金種の硬貨を所定枚数（たとえば、２５枚や５０枚）ごとに、硬貨面同士が重なるように積み上げる機構であり、重積された硬貨、すなわち、重積硬貨２を硬貨包装部１３へ提供する。
【００７４】
包装紙供給部１２は、ロール紙（包装紙１）を格納するとともに、包装紙１を繰り出して硬貨包装部１３へ供給する機構である。また、包装紙供給部１２は、穿孔調整部１５ｂからの指示に応じて包装紙１に穿孔する機構をさらに有しているが、この点については、図７を用いて後述することとする。なお、包装紙１の幅は、あらゆる金種に対応するようにあらかじめ算出されたものを用いる。
【００７５】
硬貨包装部１３は、硬貨集積部１１から提供された重積硬貨２に対し、包装紙供給部１２にて穿孔された包装紙１を所定回数だけ巻回し、後続の包装紙１を切断したうえで、重積硬貨２の重積方向にはみ出した包装紙１の両部分を「かしめる」ことで、棒金３を生成する機構である。
【００７６】
ここで、硬貨集積部１１、包装紙供給部１２および硬貨包装部１３の構成例について図７を用いて説明しておく。図７は、硬貨集積部１１、包装紙供給部１２および硬貨包装部１３の構成例を示す図である。なお、同図の（Ａ）には、各部を側方からみた図を、同図の（Ｂ）には、各部を上方からみた図を、それぞれ示している。
【００７７】
図７の（Ａ）に示したように、硬貨集積部１１は、対向配置された一対のベルト１１ａ間に硬貨を導入して突起１１ｂで支えるとともに、硬貨が導入されるたびに突起１１ｂの位置を下降させていくことで、一対のベルト１１ａ間に所定枚数の重積硬貨２を集積する。
【００７８】
包装紙供給部１２は、ロール状の包装紙１を、２組の給紙ローラ１２ａで硬貨包装部１３に向けて繰り出すとともに、カッタ１２ｃで所定の長さに切断する。ここで、カッタ１２ｃは、包装紙１の幅方向に対して「く」の字型の形状を有しており、繰り出される包装紙１を、両端部分よりも中央部分が凸状となる「く」の字型になるように切断する。
【００７９】
また、包装紙供給部１２は、２組の給紙ローラ１２ａ間に、穿孔部１２ｂを有しており、穿孔調整部１５ｂからの指示に応じて包装紙１に対して所定の形状の孔を、所定のタイミングであける。なお、同図では、２組の給紙ローラ１２ａ間に穿孔部１２ｂを設けた場合について示したが、穿孔部１２ｂの取り付け位置は、ロール状の包装紙１とカッタ１２ｃとの間の任意の位置とすることができる。
【００８０】
硬貨包装部１３は、硬貨集積部１１から受け取った重積硬貨２を、図示しない案内機構によって複数本の包装ローラ１３ａ間に導き、各包装ローラ１３ａで重積硬貨２を挟み込んで回転させながら、包装紙供給部１２から供給された包装紙１を重積硬貨２の周面に巻き付ける機構である。そして、上下の巻込鉤１３ｂで包装紙１の上下縁を巻き込んで「かしめる」ことで棒金３を生成する。
【００８１】
次に、穿孔部１２ｂの詳細な構成について図７の（Ｂ）を用いてさらに説明する。図７の（Ｂ）に示したように、穿孔部１２ｂは、穿孔ピン７１と、穿孔ガイド７２と、ダスト回収ボックス７３とをさらに備えている。穿孔ピン７１は、穿孔ガイド７２における包装紙１側に設けられた開放部から突出することで、包装紙１に対して所定の形状の孔をあける。
【００８２】
なお、孔の形状については、穿孔ピン７１を取り替えることで任意の形状とすることができる。また、各形状にそれぞれ対応した穿孔ピン７１を複数種類設けておき、穿孔調整部１５ｂからの指示された形状に対応する穿孔ピン７１を作動させることとしてもよい。
【００８３】
穿孔ガイド７２は、包装紙１側に平坦な面を有しており、上記した穿孔ピン７１を作動させるためのソレノイドやリンク機構を備えているものとする。ダスト回収ボックス７３は、穿孔ピン７１による孔あけで発生した包装紙１の切片を回収する取り外し式のボックスである。
【００８４】
図６の説明に戻り、入力部１４について説明する。入力部１４は、タッチパネルディスプレイやテンキーなどの入力デバイスで構成され、包装対象となる硬貨の金種を入力させる処理を行う。また、入力部１４は、入力された金種を制御部１５の金種決定部１５ａへ通知する処理を併せて行う。
【００８５】
なお、本実施例２では、入力部１４を介して包装対象となる硬貨の金種を取得する場合について示したが、硬貨の金種を判別する光学センサや磁気センサといったセンサによって金種をあらかじめ判別し、金種判別した硬貨を包装対象とすることとしてもよい。
【００８６】
制御部１５は、入力部１４から受け取った金種に基づいて記憶部１６の包装情報１６ａを検索することで、当該金種に対応する穿孔パターンを取得し、取得した穿孔パターンを包装紙供給部１２に対して指示する処理を行う処理部である。
【００８７】
金種決定部１５ａは、入力部１４から受け取った金種に基づいて記憶部１６の包装情報１６ａを検索し、当該金種に対応する穿孔パターンを取得する処理部である。そして、金種決定部１５ａは、取得した穿孔パターンを穿孔調整部１５ｂへ出力する処理を併せて行う。
【００８８】
穿孔調整部１５ｂは、金種決定部１５ａから受け取った穿孔パターンで包装紙１に対する穿孔を行うように包装紙供給部１２へ指示する処理を行う処理部である。なお、穿孔指示を受けた包装紙供給部１２は、包装紙１の供給速度に応じて穿孔部１２ｂの作動タイミングを調整することで、包装紙１の所定位置に孔をあけることになる。
【００８９】
記憶部１６は、メモリやハードディスクドライブといった記憶デバイスであり、包装情報１６ａを記憶する。包装情報１６ａは、硬貨の金種ごとに、包装紙１の巻回方向における孔のピッチを定義した情報である。なお、穿孔部１２ｂの穿孔ピン７１を重積方向に複数備えることとしたうえで、重積方向のピッチを包装情報１６ａに含めることとしてもよい。
【００９０】
次に、硬貨包装装置１０によって行われる穿孔位置の調整例について、図８を用いて説明する。図８は、穿孔位置の調整例を示す図である。なお、同図の（Ａ）には、包装紙１として普通紙のような非透明な紙を用いる場合の例を、同図の（Ｂ）には、包装紙１としてトレーシングペーパのような半透明な紙を用いる場合の例を、それぞれ示している。また、図８には、重積硬貨２に対する巻回回数を２．５回とする場合について示している。
【００９１】
図８の（Ａ）に示したように、非透明な紙を用いる場合には、穿孔調整部１５ｂは、待機中の包装紙１の先端からＡ１の距離に最初の孔１１１をあけるように包装紙供給部１２の穿孔部１２ｂへ指示する。なお、Ａ１は２０ｍｍ程度とすることができる。
【００９２】
つづいて、穿孔調整部１５ｂは、巻回方向についてπＤのピッチで２番目の孔１１１をあけるように包装紙供給部１２ｂへ指示する。かかる指示を受け付けた包装紙供給部１２は、巻回方向について最初の孔からの距離がπＤに達した時点で包装紙１の送りをいったん停止したうえで、穿孔部１２ｂによって２番目の孔をあける。なお、包装紙１の送りを停止することなく穿孔部１２ｂで２番目の孔をあけることとしてもよい。
【００９３】
そして、巻回回数が２．５回となるように包装紙１はカッタ１２ｃで切断される。ここで、Ｄは包装対象となる硬貨の直径であり、金種によって異なる値が包装情報１６ａに格納されている。なお、πは円周率である。
【００９４】
このように、巻回回数を２．５回程度とする場合、最初の孔１１１と、２番目の孔１１１とは、生成された棒金３の同じ位置で重なり、かつ、２番目の孔１１１の外側には包装紙１が重ならない。したがって、重なった孔１１１経由で、棒金３内の硬貨の外周を直接視認することができるので、棒金３の側面から金種を確認することが可能となる。
【００９５】
次に、半透明な紙を用いる場合について説明する。図８の（Ｂ）に示したように、半透明な紙を用いる場合には、穿孔調整部１５ｂは、待機中の包装紙１の先端から０．５πＤｍａｘの距離に最初の孔１１１をあけるように包装紙供給部１２の穿孔部１２ｂへ指示する。
【００９６】
ここで、Ｄｍａｘは、硬貨包装装置１０が包装対象とする硬貨の直径のうち最大の直径を指している。ところで、硬貨包装装置１０が包装対象とする硬貨の直径のうち最小の直径をＤｍｉｎとすると、条件式「０．５πＤｍａｘ＜πＤｍｉｎ」が成立すれば、巻回状態で包装紙１の先端が孔１１１の位置にくることはない。なお、日本の硬貨の場合、Ｄｍａｘが２６．５ｍｍであり、Ｄｍｉｎが２０ｍｍであるので、上記した条件式を満たしている。
【００９７】
このように、半透明な紙を用いる場合には、図８の（Ｂ）に示したように、１重目となる部分にのみ孔１１１があけられる。そして、巻回回数が２．５回（紙片の長さは２．５πＤ）となるように包装紙１がカッタ１２ｃで切断される。
【００９８】
このようにすることで、１重目部分にあけられた孔１１１の外側には、孔１１１がない包装紙１が１回だけかぶさることになる。したがって、孔１１１が棒金３の外周部分に直接露出することなく、棒金３の側面から半分透けた状態で金種を確認することが可能となる（同図の破線部分参照）。
【００９９】
また、複数の棒金３をトレーのような箱体へ収納して運搬する際、あるいは、箱体へ棒金３を収納する際に、棒金３同士が接触してお互いの孔（包装紙１の孔）が引っ掛かり、包装紙１が孔部分から破れてしまうことを防止することができる。
【０１００】
上述したように、本実施例２では、穿孔部を備えた硬貨包装装置が、包装対象硬貨の金種ごとに、包装紙に対する穿孔位置を調整しつつ、穿孔された包装紙を重積硬貨に巻回することで棒金を生成することとした。したがって、硬貨の金種を側面から視認可能な棒金を生成することができる。
【０１０１】
なお、実施例２では、図３の（Ａ）などに示した金種視認用の孔を硬貨包装装置であける場合について説明したが、図５に示した脆弱部を構成する孔を硬貨包装装置であけることとしてもよい。
【産業上の利用可能性】
【０１０２】
以上のように、本発明に係る硬貨包装紙および硬貨包装装置は、棒金の落下強度を高めつつ、棒金の解体容易性を確保したい場合に有用であり、特に、中身の確認が可能な棒金を低コストで生成したい場合に適している。
【符号の説明】
【０１０３】
１    包装紙
２    重積硬貨
３    棒金
１０    硬貨包装装置
１１    硬貨集積部
１１ａ  ベルト
１１ｂ  突起
１２    包装紙供給部
１２ａ  供紙ローラ
１２ｂ  穿孔部
１２ｃ  カッタ
１３    硬貨包装部
１３ａ  包装ローラ
１３ｂ  巻込鉤
１４    入力部
１５    制御部
１５ａ  金種決定部
１５ｂ  穿孔調整部
１６    記憶部
１６ａ  包装情報
７１    穿孔ピン
７２    穿孔ガイド
７３    ダスト回収ボックス
【図１】
2011037480.tif 000003
【図２】
2011037480.tif 000004
【図３】
2011037480.tif 000005
【図４】
2011037480.tif 000006
【図５】
2011037480.tif 000007
【図６】
2011037480.tif 000008
【図７】
2011037480.tif 000009
【図８】
2011037480.tif 000010